(57)【要約】【課題】  装着された表示装置による表示画質を最適化することのできるデジタルカメラを得る。【解決手段】  マイクロコンピュータ４０により、装着されたＬＣＤモジュール３８の種類を特定し、デジタル信号処理部３０により、当該ＬＣＤモジュール３８に供給する画像信号を上記特定した種類に応じて調整して当該ＬＣＤモジュール３８に供給する。【選択図】        図３
2005079665.tif 000002
【特許請求の範囲】
【請求項１】
被写体像を表示するための表示装置が複数種類の中から選択的に着脱可能に構成されたデジタルカメラであって、
装着された前記表示装置の種類を特定する特定手段と、
装着された前記表示装置に供給する画像信号を前記特定手段により特定された種類に応じて調整する調整手段と、
装着された前記表示装置に前記調整手段によって調整された画像信号を供給する供給手段と、
を備えたデジタルカメラ。
【請求項２】
前記調整手段は、前記画像信号を前記特定された種類の表示装置における階調特性及び色再現特性の少なくとも一方に応じて調整する
請求項１記載のデジタルカメラ。
【請求項３】
前記表示装置の種類毎に、前記階調特性及び前記色再現特性を示す情報か、又は前記階調特性に応じた調整値を示す情報及び前記色再現特性に応じた調整値を示す情報を予め記憶した記憶手段を更に備え、
前記調整手段は、前記記憶手段から前記特定された種類の表示装置に対応する情報を読み出して当該情報を用いて前記調整を行う
請求項２記載のデジタルカメラ。
【発明の詳細な説明】
【技術分野】
【０００１】
本発明は、デジタルカメラに係り、特に、被写体像を表示するための表示装置が複数種類の中から選択的に着脱可能に構成されたデジタルカメラに関する。
【背景技術】
【０００２】
近年、ＣＣＤ（Charge Coupled Device）、ＣＭＯＳ（Complementary Metal Oxide Semiconductor）イメージ・センサ等の撮像素子の高解像度化に伴い、デジタル電子スチルカメラやデジタルビデオカメラ等のデジタルカメラの需要が急増している。
【０００３】
ところで、この種のデジタルカメラには、撮影時や再生時に被写体像を表示するための液晶ディスプレイ（以下、「ＬＣＤ」という。）が設けられているものが多い。
【０００４】
ここで、当該ＬＣＤは、カメラ本体の小型化に伴って表示面積も小さくなる傾向にあるが、これに伴って、ＬＣＤの表示画像や文字等の表示内容が見え難くなってきている。
【０００５】
そこで、この問題を解決するための方法として、デジタルカメラを、ＬＣＤを含んで構成されたＬＣＤモジュールが自由に取り替えられる構成とすることが考えられる。すなわち、例えば、視力の弱い高齢者等がデジタルカメラを使用する場合には表示画面の大きなＬＣＤが搭載されたＬＣＤモジュールに取り替えたり、文字等の細かい画像の表示を行う場合には表示画素数の多い高精細なＬＣＤが搭載されたＬＣＤモジュールに取り替えること等によって上記問題に対処することができる。
【０００６】
また、ＬＣＤの種類として低温ポリシリコンＴＦＴ液晶（Thin Film Transistor Liquid Crystal）、アモルファスＴＦＴ液晶、Ｄ−ＴＦＴ液晶等があり、その種類によって価格も異なる。そこで、ＬＣＤモジュールを取り替えられるようにデジタルカメラを構成することにより、比較的画質や解像度に拘らないユーザは、価格の安い種類のＬＣＤを選択することも可能である。また、逆に、ＬＣＤの画質に拘るユーザは、大型で高精細なＬＣＤが搭載されたＬＣＤモジュールを選択することもできる。
【０００７】
以上のようなＬＣＤモジュールを複数種類の中から選択的に着脱可能に構成するデジタルカメラに適用できる技術として、特許文献１には、液晶モニタ部をカメラ本体部に対して着脱可能にし、液晶モニタ部をカメラ本体部から分離した状態でカメラ本体部との間で赤外線信号により映像をモニタできるようにしたビデオカメラ装置であって、カメラ本体部で液晶モニタ部の接続の有無を導電接続部で検出し、液晶モニタ部の着脱状態に応じて液晶モニタ部の電源のオン／オフを制御する技術が開示されている。
【特許文献１】特開平９−４６５６４号公報
【発明の開示】
【発明が解決しようとする課題】
【０００８】
しかしながら、ＬＣＤモジュールを複数種類の中から選択的に着脱可能に構成するデジタルカメラに上記特許文献１の技術を適用した場合、ＬＣＤモジュールにおける表示画質が低下する場合がある、という問題点があった。
【０００９】
すなわち、ＬＣＤのメーカや種類により、液晶の材料、液晶の駆動方法、液晶パネルの前面に設けられた色フィルタの色再現性等は異なっている。このため、装着されたＬＣＤモジュールに搭載されたＬＣＤの種類にかかわらず同一特性の画像信号を当該ＬＣＤモジュールに供給した場合には、表示画質がＬＣＤの種類毎に異なってしまうため、ＬＣＤの種類によっては当該表示画質が低下する場合がある。
【００１０】
本発明は上記問題点を解消するためになされたものであり、装着された表示装置による表示画質を最適化することのできるデジタルカメラを提供することを目的とする。
【課題を解決するための手段】
【００１１】
上記目的を達成するために、請求項１記載のデジタルカメラは、被写体像を表示するための表示装置が複数種類の中から選択的に着脱可能に構成されたデジタルカメラであって、装着された前記表示装置の種類を特定する特定手段と、装着された前記表示装置に供給する画像信号を前記特定手段により特定された種類に応じて調整する調整手段と、装着された前記表示装置に前記調整手段によって調整された画像信号を供給する供給手段と、を備えている。
【００１２】
請求項１に記載のデジタルカメラによれば、複数種類の中から選択的に装着された表示装置の種類が特定手段によって特定される。
【００１３】
なお、上記特定手段による表示装置の種類の特定は、表示装置の外部に位置及び数の少なくとも一方が表示装置の種類毎に異なるものとされた突出部や凹部等を設けておき、これらの配設状態を検出することにより特定する形態や、表示装置に当該表示装置の種類を示す情報を記憶したメモリを設けておき、当該メモリから当該情報を読み出すことにより特定する形態、当該メモリに代えて当該情報を表示装置の外壁に印刷しておき、当該情報を光学的に読み取る形態等を例示することができる。
【００１４】
また、上記表示装置には、ＬＣＤ装置、ＣＲＴディスプレイ装置、プラズマ・ディスプレイ装置、有機ＥＬディスプレイ装置等のディスプレイ装置が含まれる。
【００１５】
ここで、本発明では、調整手段により、装着された表示装置に供給する画像信号が特定手段により特定された種類に応じて調整され、当該表示装置に当該調整された画像信号が供給手段によって供給される。
【００１６】
このように、請求項１に記載のデジタルカメラによれば、装着された表示装置の種類を特定し、当該表示装置に供給する画像信号を特定された種類に応じて調整して当該表示装置に供給しているので、装着された表示装置による表示画質を最適化することができる。
【００１７】
なお、本発明の前記調整手段は、請求項２に記載の発明のように、前記画像信号を前記特定された種類の表示装置における階調特性及び色再現特性の少なくとも一方に応じて調整することが好ましい。これによって、画像信号を表示装置の階調特性に応じて調整した場合には、表示された被写体像の階調特性を所望の特性とすることができ、色再現特性に応じて調整した場合には、表示された被写体像の色再現特性を所望の特性とすることができる。
【００１８】
更に、本発明は、請求項３に記載の発明のように、前記表示装置の種類毎に、前記階調特性及び前記色再現特性を示す情報か、又は前記階調特性に応じた調整値を示す情報及び前記色再現特性に応じた調整値を示す情報を予め記憶した記憶手段を更に備え、前記調整手段は、前記記憶手段から前記特定された種類の表示装置に対応する情報を読み出して当該情報を用いて前記調整を行うことが好ましい。これによって、当該調整を、画像信号に対する演算により行う場合に比較して短時間に行うことができる。
【００１９】
なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の記憶素子、スマート・メディア（SmartMedia(R)）、ｘＤピクチャーカード（xD-Picture Card）、コンパクト・フラッシュ（CompactFlash）、ＡＴＡ（AT Attachment）カード、マイクロドライブ、フロッピィディスク、ＣＤ−Ｒ（Compact Disc-Recordable）、ＣＤ−ＲＷ（Compact Disc-ReWritable）、光磁気ディスク等の可搬型記録媒体が含まれる。
【発明の効果】
【００２０】
本発明に係るデジタルカメラによれば、装着された表示装置の種類を特定し、当該表示装置に供給する画像信号を特定された種類に応じて調整して当該表示装置に供給しているので、装着された表示装置による表示画質を最適化することができる、という効果が得られる。
【発明を実施するための最良の形態】
【００２１】
以下、図面を参照して、本発明を実施するための最良の形態について詳細に説明する。まず、図１を参照して、本実施の形態に係るデジタルカメラ１０の外観上の構成を説明する。
【００２２】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッター）５６Ａと、電源スイッチ５６Ｂと、が備えられている。
【００２３】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２４】
そして、デジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２５】
一方、デジタルカメラ１０の背面には、前述のファインダ２０の接眼部と、撮影された被写体像やメニュー画面等を表示するためのＬＣＤモジュール３８と、撮影を行うモードである撮影モード及び被写体像をＬＣＤモジュール３８により再生するモードである再生モードの何れかのモードに設定する際にスライド操作されるモード切替スイッチ５６Ｃと、が備えられている。
【００２６】
ここで、ＬＣＤモジュール３８は画像表示部としてＬＣＤ３８Ａを搭載しており、メーカによってＬＣＤ３８Ａによる表示面積、表示画素数、駆動方式等の少なくとも１つが異なる複数機種（本実施の形態では、４機種）のものが用意されている。そして、本実施の形態に係るデジタルカメラ１０は、当該複数機種のＬＣＤモジュール３８の中の１つを、用途や好み等に応じて選択して装着することができるように構成されている。
【００２７】
すなわち、図２に示すように、デジタルカメラ１０には、ＬＣＤモジュール３８を装着するための装着部１０Ａが設けられている。装着部１０ＡはＬＣＤモジュール３８の外形形状と略同形状で略同サイズとされた一部凹形状とされており、デジタルカメラ１０は、装着部１０Ａに何れかのＬＣＤモジュール３８を装着した状態（図１に示す状態）で略直方体となるように構成されている。
【００２８】
ＬＣＤモジュール３８の背面には、当該ＬＣＤモジュール３８の機種を示す識別ピン３８Ｂが設けられている。なお、本実施の形態に係るＬＣＤモジュール３８の識別ピン３８Ｂは最大２本とされており、当該識別ピン３８Ｂの配設位置及び数が次の表１に示すようにＬＣＤモジュール３８の各機種毎に予め定められている。
【００２９】
【表１】
2005079665.tif 000003
【００３０】
図２に示すＬＣＤモジュール３８は識別ピン３８Ｂが２本とも設けられているので、機種Ｄであることになる。なお、本実施の形態に係るデジタルカメラ１０では、表１に示す識別ピン３８Ｂの配設位置及び数と、これに対応するＬＣＤモジュール３８の機種名とが関連付けられた情報（以下、「機種対応情報」という。）が後述するデジタル信号処理部３０（図３も参照。）に内蔵されたメモリ３０Ａに予め記憶されている。
【００３１】
一方、デジタルカメラ１０側の装着部１０Ａにおける、ＬＣＤモジュール３８を装着した状態で当該ＬＣＤモジュール３８の識別ピン３８Ｂの配設位置に対応する位置には、２つの識別穴１０Ｂが設けられている。そして、デジタルカメラ１０の識別穴１０Ｂの配設位置に対応する内部位置には、装着されたＬＣＤモジュール３８の識別ピン３８Ｂの有無を検知することができるピン検知部（図示省略。）が設けられており、デジタルカメラ１０は、装着されたＬＣＤモジュール３８の識別ピン３８Ｂの有無を当該ピン検知部によって検知することができ、当該検知結果に応じて当該ＬＣＤモジュール３８の機種を特定することができる。
【００３２】
なお、ＬＣＤモジュール３８の背面には、当該ＬＣＤモジュール３８に対して画像信号、各種制御信号、及び駆動電力を供給するためのコネクタ３８Ｃが設けられている。また、デジタルカメラ１０の装着部１０Ａにおける、ＬＣＤモジュール３８を装着した状態で当該ＬＣＤモジュール３８のコネクタ３８Ｃと機械的かつ電気的に接続可能な位置には、当該コネクタ３８Ｃに対応するコネクタ１０Ｃが設けられている。従って、デジタルカメラ１０と、装着されたＬＣＤモジュール３８との間の各種信号の送受信は、コネクタ１０Ｃ及びコネクタ３８Ｃを介して行われる。
【００３３】
一方、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００３４】
なお、十字カーソルボタン５６Ｄは、ＬＣＤ３８Ａの表示領域における上・下・左・右の４方向の移動方向を示す４つの矢印キー及び当該４つの矢印キーの中央部に位置された決定キーの合計５つのキーを含んで構成されている。
【００３５】
次に、図３を参照して、本実施の形態に係るデジタルカメラ１０の電気系の構成を説明する。
【００３６】
デジタルカメラ１０は、前述のレンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３７】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３８】
なお、デジタル信号処理部３０は、所定容量のラインバッファを内蔵し、入力されたデジタルデータを後述するメモリ４８の所定領域に直接記憶させる制御も行う。また、デジタル信号処理部３０には、テーブル情報やパラメータ等の各種情報を予め記憶した不揮発性のメモリ３０Ａが内蔵されている。
【００３９】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４０】
一方、デジタルカメラ１０は、デジタルカメラ１０全体の動作を司るマイクロコンピュータ４０と、撮影により得られたデジタル画像データ等を記憶するメモリ４８と、を含んで構成されている。
【００４１】
また、デジタルカメラ１０は、可搬型の記録メディア５２が着脱可能に構成されており、記録メディア５２が装着された状態でデジタル信号処理部３０により当該記録メディア５２がアクセスできる構成となっている。
【００４２】
なお、本実施の形態のデジタルカメラ１０では、メモリ４８としてＶＲＡＭ（Video RAM）が用いられ、記録メディア５２としてスマートメディア（Smart Media(R)）が用いられている。
【００４３】
更に、デジタルカメラ１０には、デジタル画像データに対する圧縮処理及び伸張処理を行う圧縮・伸張処理部５４が備えられている。
【００４４】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はマイクロコンピュータ４０によりタイミングジェネレータ３２を介して制御される。
【００４５】
また、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はマイクロコンピュータ４０に接続されており、マイクロコンピュータ４０は、これらの操作部５６に対する操作状態を常時把握できる。
【００４６】
更に、デジタルカメラ１０には、マイクロコンピュータ４０の制御に応じて、装着されたＬＣＤモジュール３８や、他の駆動電力を要する各部に対して駆動電力を供給する電源回路６０が備えられている。
【００４７】
なお、デジタルカメラ１０は、ＬＣＤモジュール３８が装着された状態でコネクタ１０Ｃ及びコネクタ３８Ｃを介して、デジタル信号処理部３０からＬＣＤモジュール３８への画像信号の送信、及び電源回路６０からＬＣＤモジュール３８に対する駆動電力の供給、が各々可能に構成されている。
【００４８】
また、マイクロコンピュータ４０は、ＬＣＤモジュール３８が装着された状態で、ＬＣＤモジュール３８に設けられた識別ピン３８Ｂの前述した不図示のピン検知部による検知結果を示す検知情報を受信することができる。
【００４９】
次に、デジタル信号処理部３０に内蔵されたメモリ３０Ａに予め記憶されている各種情報について、図４及び図５を参照しつつ説明する。
【００５０】
本実施の形態に係るデジタルカメラ１０では、装着されたＬＣＤモジュール３８の階調特性及び色再現特定の双方に応じて、当該ＬＣＤモジュール３８に供給する画像信号を調整している。
【００５１】
ここで、上記階調特性はガンマ特性とも呼ばれるものである。すなわち、ＬＣＤを始めとする各種ディスプレイは、一例として図４（Ａ）に示すように、表示画像の輝度（同図では「モニター輝度」と表記。）は供給された画像信号のレベルに応じて直線的に変化するのではなく、一例として図４（Ｂ）に示すように下に凸の形状を示すように変化するような階調特性を有する。
【００５２】
従って、ディスプレイに画像を表示する際には、通常、当該ディスプレイの階調特性が所望の特性となるように画像信号を調整するようにしている。
【００５３】
しかしながら、以上のような階調特性はディスプレイの機種毎に異なるものであるため、単一の調整データによって画像信号を調整したのでは、ディスプレイの機種によっては所望とする画質を得ることができない。
【００５４】
そこで、本実施の形態に係るデジタルカメラ１０では、装着可能とされたＬＣＤモジュール３８の機種毎に、階調特性調整用のデータ（以下、「階調特性調整データ」という。）をデジタル信号処理部３０に内蔵されたメモリ３０Ａに予め記憶しておき、装着されたＬＣＤモジュール３８の機種に対応する調整データが適用されて当該調整が行われる。
【００５５】
なお、本実施の形態では当該階調特性調整データが、一例として図４（Ｃ）に模式的に示すように、画像信号の最小値から最大値までの値を入力値とし、各入力値に対する調整後の出力値を示すテーブルとして、ＬＣＤモジュール３８の機種毎にメモリ３０Ａに予め記憶されている。なお、図４（Ｃ）は、装着されたＬＣＤモジュール３８の階調特性が図４（Ｂ）に示すものである場合のテーブルを示している。
【００５６】
一方、カラー画像を表示するＬＣＤでは液晶パネルの前面にＲ（赤）、Ｇ（緑）、Ｂ（青）の各色に対応する色フィルタが設けられているが、当該色フィルタの光透過率はＬＣＤの機種毎に異なっている。このため、ＬＣＤの色再現特性は機種毎に異なったものとなっている。
【００５７】
そこで、本実施の形態に係るデジタルカメラ１０では、装着可能とされたＬＣＤモジュール３８の機種毎に、色再現特性調整用のデータ（以下、「色再現特性調整データ」という。）もメモリ３０Ａに予め記憶しており、装着されたＬＣＤモジュール３８の機種に対応する色再現特性調整データが適用されて色再現特性の調整が行われる。
【００５８】
なお、本実施の形態では当該色再現特性調整データとして、一例として図５に模式的に示すように、ＬＣＤモジュール３８の機種毎で、かつ画像信号における色差信号毎に当該色差信号の最大振幅を示すデータがメモリ３０Ａに予め記憶されている。
【００５９】
次に、本実施の形態に係るデジタルカメラ１０の撮影時における全体的な動作について簡単に説明する。
【００６０】
まず、ＣＣＤ２４によって被写体像の撮像を行い、当該被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００６１】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００６２】
メモリ４８の所定領域に格納されたデジタル画像データは、マイクロコンピュータ４０による制御に応じてデジタル信号処理部３０により読み出され、所定の物理量に応じたデジタルゲインをかけることでホワイトバランス調整を行うと共に、シャープネス処理を行なって８ビットのデジタル画像データを生成する。
【００６３】
そして、デジタル信号処理部３０は、生成した８ビットのデジタル画像データに対しＹＣ信号処理を施して輝度信号Ｙと色差信号Ｃｒ（＝Ｒ−Ｙ）、Ｃｂ（＝Ｂ−Ｙ）（以下、「ＹＣ信号」という。）を生成し、ＹＣ信号をメモリ４８の上記所定領域とは異なる領域に格納する。
【００６４】
なお、ＬＣＤモジュール３８は、ＣＣＤ２４による連続的な撮像によって得られた動画像（スルー画像）を表示してファインダとして使用することができるものとして構成されており、ＬＣＤモジュール３８をファインダとして使用する場合には、生成したＹＣ信号を画像信号として順次ＬＣＤモジュール３８に供給する。これによってＬＣＤモジュール３８のＬＣＤ３８Ａにスルー画像が表示されることになる。
【００６５】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理部５４によって所定の圧縮形式（本実施の形態では、ＪＰＥＧ形式）で圧縮した後に記録メディア５２に記録する。
【００６６】
ところで、デジタルカメラ１０では、電源投入時に、装着されているＬＣＤモジュール３８の機種を特性するＬＣＤ識別処理が実行される。以下、図６を参照して、当該ＬＣＤ識別処理について説明する。なお、図６はＬＣＤ識別処理の実行時にマイクロコンピュータ４０において実行されるＬＣＤ識別処理プログラムの処理の流れを示すフローチャートである。
【００６７】
同図のステップ１００では、前述した不図示のピン検知部から受信した検知情報により識別ピン３８Ｂの配設位置及び数を検出し、次のステップ１０２では、デジタル信号処理部３０のメモリ３０Ａに記憶されている機種対応情報を参照して、検出した識別ピン３８Ｂの配設位置及び数に対応するＬＣＤモジュール３８の機種を、装着されたＬＣＤモジュール３８の機種として特定する。
【００６８】
そして、次のステップ１０４にて、特定したＬＣＤモジュール３８の機種を示す機種情報をデジタル信号処理部３０に内蔵されているメモリ３０Ａの所定領域に記憶し、その後に本ＬＣＤ識別処理プログラムを終了する。
【００６９】
一方、本実施の形態に係るデジタルカメラ１０では、ＹＣ信号により示される画像をＬＣＤモジュール３８のＬＣＤ３８Ａに表示させる際に、装着されたＬＣＤモジュール３８の機種に応じてＹＣ信号を調整する画像信号調整処理が実行される。以下、図７を参照して、当該画像信号調整処理について説明する。なお、図７は画像信号調整処理の実行時にデジタル信号処理部３０において実行される画像信号調整処理プログラムの処理の流れを示すフローチャートである。
【００７０】
同図のステップ２００では、上述したＬＣＤ識別処理プログラムによって記憶された機種情報をメモリ３０Ａから読み出し、次のステップ２０２では、当該機種情報により示されるＬＣＤモジュール３８の機種に対応する階調特性調整データをメモリ３０Ａから読み出し、更に次のステップ２０４では、当該機種情報により示されるＬＣＤモジュール３８の機種に対応する色再現特性調整データをメモリ３０Ａから読み出す。
【００７１】
次のステップ２０６では、上記ステップ２０２及びステップ２０４において読み出した階調特性調整データ及び色再現特性調整データを用いて、ＬＣＤモジュール３８のＬＣＤ３８Ａへの表示対象とする画像の１画素分のＹＣ信号を調整する。なお、当該調整は、ＹＣ信号における輝度信号Ｙを入力値として階調特性調整データによる出力値を調整後の輝度信号Ｙとすると共に、色差信号Ｃｒ及びＣｂの各々の振幅を、色再現特性調整データにおける対応する最大振幅で正規化することによって行われる。
【００７２】
次のステップ２０８では、上記ステップ２０６によるＹＣ信号の調整が表示対象とする画像の全ての画素について終了したか否かを判定し、否定判定となった場合は上記ステップ２０６に戻り、肯定判定となった時点で本画像信号調整処理プログラムを終了する。なお、上記ステップ２０６及びステップ２０８の処理を繰り返して行う際にステップ２０６では、それまでに調整を行っていない画素のＹＣ信号を処理対象とする。
【００７３】
ＬＣＤモジュール３８には、以上の画像信号調整処理プログラムにより調整されたＹＣ信号が供給されて、ＬＣＤ３８Ａにより画像が表示される。
【００７４】
以上詳細に説明したように、本実施の形態では、装着されたＬＣＤモジュール３８の種類を特定し、当該ＬＣＤモジュール３８に供給する画像信号を特定された種類に応じて調整して当該ＬＣＤモジュール３８に供給しているので、装着されたＬＣＤモジュール３８による表示画質を最適化することができる。
【００７５】
特に、本実施の形態では、画像信号を上記特定された種類のＬＣＤモジュール３８における階調特性及び色再現特性の双方に応じて調整しているので、ＬＣＤモジュール３８に表示される被写体像の階調特性及び色再現特性を所望の特性とすることができる。
【００７６】
更に、本実施の形態では、ＬＣＤモジュール３８の種類毎に階調特性調整データ及び色再現特性調整データを予めメモリ３０Ａに記憶しておき、当該メモリ３０Ａから上記特定された種類のＬＣＤモジュール３８に対応する調整データを読み出して当該調整データを用いて上記調整を行っているので、当該調整を、画像信号に対する演算により行う場合に比較して短時間に行うことができる。
【００７７】
なお、本実施の形態では、ＬＣＤモジュール３８の機種毎に画像信号を調整する場合について説明したが、本発明はこれに限定されるものではなく、例えば、ＬＣＤモジュールに搭載されたＬＣＤ３８Ａの種類毎に画像信号を調整する形態とすることもできる。
【００７８】
この場合は、ＬＣＤ３８Ａの種類毎に異なる状態で識別ピン３８ＢをＬＣＤモジュール３８に設けておくと共に、ＬＣＤ３８Ａの種類毎に階調特性調整データ及び色再現特性調整データをメモリ３０Ａに予め記憶しておき、識別ピン３８Ｂの配設状態に応じてＬＣＤモジュール３８の種類を特定し、当該種類に応じた階調特性調整データ及び色再現特性調整データをメモり３０Ａから読み出して画像信号を調整する。この場合も、本実施の形態と同様の効果を奏することができる。
【００７９】
また、本実施の形態では、調整対象とする画像信号をＹＣ信号とした場合について説明したが、本発明はこれに限定されるものではなく、例えば、Ｒ，Ｇ，Ｂのデジタル画像データを調整する形態とすることもできる。この場合は、階調特性調整データ及び色再現特性調整データを、当該デジタル画像データの調整が可能なデータに置き換えて適用することになる。この場合も、本実施の形態と同様の効果を奏することができる。
【００８０】
また、本実施の形態では、ＬＣＤモジュール３８におけるＬＣＤ３８Ａの階調特性と色再現特性の双方に応じて画像信号を調整する場合について説明したが、本発明はこれに限定されるものではなく、階調特性及び色再現特性の何れか一方のみに応じて調整する形態としても、表示画質を向上させる効果を或る程度は得ることができる。
【００８１】
また、本実施の形態では、階調特性調整データをテーブル形式でメモリ３０Ａに予め記憶しておき、当該調整データを用いたテーブル変換により画像信号を調整する場合について説明したが、本発明はこれに限定されるものではなく、調整前の画像信号を入力値として当該階調特性調整データの出力値と同様の値を算出するような関数を予め用意しておき、当該関数を用いた演算により画像信号を調整する形態とすることもできる。この場合は、演算負荷が増加すると共に処理速度が低下するものの、階調特性調整データを記憶するためのメモリ容量を削減することができる。
【００８２】
また、本実施の形態では、階調特性調整データ及び色再現特性調整データを用いて画像信号を調整する場合について説明したが、本発明はこれに限定されるものではなく、例えば、装着可能なＬＣＤモジュール３８の種類毎に階調特性を示す情報及び色再現特性を示す情報そのものをメモリ３０Ａに予め記憶しておき、当該情報に基づいて画像信号を調整する形態とすることもできる。この場合にも、本実施の形態と同様の効果を奏することができる。
【００８３】
また、本実施の形態に係るデジタルカメラ１０の構成（図１〜図３参照。）は一例であり、本発明の主旨を逸脱しない範囲内において適宜変更可能であることは言うまでもない。
【００８４】
また、本実施の形態において説明した階調特性調整データ（図４（Ｃ）参照。）も一例であり、本発明の主旨を逸脱しない範囲内において適宜変更可能であることは言うまでもない。例えば、図８に示すように、入力値に対する出力値の特性が略Ｓ字状を示すものとすることもできる。この場合は、表示画像のコントラストを高くすることができる。
【００８５】
更に、本実施の形態において説明した各種処理プログラム（図６及び図７参照。）の処理の流れも一例であり、本発明の主旨を逸脱しない範囲内において適宜変更可能であることは言うまでもない。
【図面の簡単な説明】
【００８６】
【図１】実施の形態に係るデジタルカメラ１０の外観を示す外観図である。
【図２】デジタルカメラ１０におけるＬＣＤモジュール３８に関する部分の構成を示す外観図である。
【図３】実施の形態に係るデジタルカメラ１０の電気系の構成を示すブロック図である。
【図４】実施の形態に係る階調特性調整データの説明に供するグラフである。
【図５】実施の形態に係る色再現特性調整データの説明に供する模式図である。
【図６】実施の形態に係るＬＣＤ識別処理プログラムの処理の流れを示すフローチャートである。
【図７】実施の形態に係る画像信号調整処理プログラムの処理の流れを示すフローチャートである。
【図８】階調特性調整データの他の例を示すグラフである。
【符号の説明】
【００８７】
１０    デジタルカメラ
１０Ｃ    コネクタ（供給手段）
３０    デジタル信号処理部（調整手段）
３０Ａ    メモリ（記憶手段）
３８    ＬＣＤモジュール（表示装置）
３８Ａ    ＬＣＤ
４０    マイクロコンピュータ（特定手段）
【図１】
2005079665.tif 000004
【図２】
2005079665.tif 000005
【図３】
2005079665.tif 000006
【図４】
2005079665.tif 000007
【図５】
2005079665.tif 000008
【図６】
2005079665.tif 000009
【図７】
2005079665.tif 000010
【図８】
2005079665.tif 000011